(57)【特許請求の範囲】
【請求項１】
口（４）と、
栓（１）と、
プレカットによって上記口（４）および栓（１）に付けられたシール（２）とを有する空気が流入する箱型容器の栓であって、
上記シール（２）は引くための舌状物（３）を有し、上記舌状物は、上記シール（２）と上記口（４）を連結したプレカットだけでなく、上記栓（１）および上記シール（２）を連結したプレカットを壊すことによって上記シール（２）をはがし、
上記口（４）は、上記箱型容器のボール紙を接着するための張り出しまたは基部（５）を有し、
上記栓（１）は、より引き抜きやすくするために上記栓の両側面に認識部（６）を有し、
上記栓（１）は、上記口（４）上に配置され、上記栓（１）のプラスチック材の曲がりによって、掴むことにより上記口（４）を開けることおよび閉じることを可能にする周囲の引っかけのような、閉じるためのクリップ（７）を有し、
上記栓（１）は、後方に、切断部（１６）および押し部（１７）を有し、
上記栓（１）は、ボックス（１３）を形成する複数の仕切りによって複数の側面が閉じられ、かつ、その前方部が閉じられる可動部（１０）を有し、上記可動部（１０）は、上記可動部（１０）と一体に形成されると共に、上記口（４）の内側に沿って複数のガイド（１８）の中へ差し込まれる複数のストリップ（１１）を有し、
上記箱型容器の中へ入り込むために、かつ、液体の流出の間、空気の通路を形成するために、上記栓（１）の上記押し部（１７）によって押されたとき、上記可動部（１０）は、上記口（４）の一部に挿入可能であることを特徴とする、空気が流入する箱型容器の栓。
【請求項２】
上記可動部（１０）は、上記前方部に持ち上げ部（１４）および閉じ部（１５）有し、
上記可動部（１０）の上記切断部（１６）および上記閉じ部（１５）は、その前側の端の全体に沿って刃部（１９）を備え、
上記栓（１）が上記口（４）上に留められ、かつ、閉じられる場合、上記可動部（１０）および上記切断部（１６）の刃部（１９）によるフィルム（２５）の穴開けによって生じた複数の小曲がりシート（２１）は、上記可動部（１０）の上記持ち上げ部（１４）によって導かれ、固定され、上記容器の中に誘導される、請求項１に記載の空気が流入する箱型容器の栓。
【請求項３】
上記可動部（１０）は、上記口（４）の内部に、空気が流入するための上側部分（２２）を生じさせ、上記切断部（１６）は、接着剤（２４）で上記箱に接着された上記口（４）を通って液体を流出させるための下側部分（２３）を生じさせ、上記下側部分（２３）を通る液体の流出が、同時のかつ同量の上記上側部分（２２）を通る空気の流入によって補われる、請求項１に記載の空気が流入する箱型容器の栓。
【発明の詳細な説明】
【発明の詳細な説明】
【０００１】
［発明の目的］
表題に示したように、本願の発明は、空気が流入する箱型容器の栓からなり、その目的は、飛びはねまたは噴出せずに、容器の内部から液体を注ぎ出すことにある。
【０００２】
技術分野および産業上の利用分野は、箱型容器の開閉のための栓の分野内、および／または、均一に液体が流れ出るように、一般に容器の内側の注がれる液体が通る容器の口のための上部の分野内に含まれる。
［発明の背景］
先行技術の分析によると、現在、同一なまたは同様な特徴を有する製品は存在しない。
【０００３】
それゆえに、本発明の物は、根本的な利点を与え、他の同様なまたは代替手段ではカバーされない。
【０００４】
上記空気が流入する箱型容器の栓によって、上記容器内に含まれる流体を、飛びはねおよび／または噴出させずに、均一に（穏やかに）流出させることができる。
【０００５】
現在、箱型容器を閉じるための栓は、すべて、内部から液体が注ぎ出るための単一の口を有する注ぎ口を有するため、上記液体が注ぎ出る間、空気は、液体が注ぎ出されることにより残された空間を占めるように、流入しなければならない。
【０００６】
上記空気の流入と上記液体の流出は同時に起こるため、上記液体が注ぎ出るとき、上記液体の不規則な流れが生じる。上記不規則な流れは、上記液体の注ぎ出る領域で噴出および飛びはねを引き起こすため、上記箱から出すことを制御するのは容易ではない。
文献ＵＳ４９３０６８３Ａには、平行六面体の平らな切妻がある中央の継ぎ目を有する容器と、閉曲線に沿って貫通されまたは分離されることができ、かつ注ぎ穴を構成している上記切妻における領域とが開示されている。上記容器は、上記注ぎ穴を囲んだフランジを有するプラスチックの流出構造を有し、上記流出構造は、上記切妻の外側の面に固く固定され、上記閉曲線に合った周囲を有するチューブを、上記流出構造の注ぎ口の中へ軸方向に挿入することができる。それは、上記注ぎ穴に対向する面に沿った三角刃、および上記注ぎ口を閉じるための繰り返し使用できる蓋を有し、上記容器の内側の面はプラスチックの熱粘着性フィルムでコートされている。閉じフラップ蓋は、接続ストリップによって、しっかりと上記チューブに取り付けられ、注ぎ口の形式である上記流出構造のタブに連結される。
【０００７】
当業者である発明者の見識によると、本発明の物は新規であり、与えられる品質および利点のため、本発明は明らかな産業上および商業上の利益を与える。
【０００８】
［発明の詳細な説明］
空気が流入する箱型容器の栓は、箱の中に含まれる液体の流出のための口を二つに分ける。
【０００９】
二つの口の両方は同一であり、それゆえ、注ぎ出る液体の体積と空気の両方が入ることができる。
【００１０】
空気が流入する箱型容器の栓における流出の空間は、液体が注ぎ出る下側部分と、空気が入り込む上側部分の、二つの同一の部分に分けられる。さらに、液体が直接開口を通って注ぎ出るのと同時に、空気は、空気は流入させるが箱の中に含まれる液体は流出させない可動部によって形成された曲がったトンネル状の部分を通って流入する。
【００１１】
起こるすべてのことのために、上記栓は、取り付けられ、消費されるまで梱包された液体を保護するフィルム膜とアルミシウムシートを切断することができる構成要素を備える。
【００１２】
さらに、本発明は快適で使いやすいことが見込まれ、同じように、環境汚染にならずに、排除および処分についても簡単でおよび快適であることが見込まれる。
【００１３】
下記の記載を補足するため、本発明の特徴をより理解する補助の目的で、発明がより容易に理解される目的で、本明細書に５つのシートの図面が添付されている。
【００１４】
［図の簡単な説明］
本発明の目的の特徴および利点の範囲を理解するため、５つのシートの図面が添付されている。好ましい実施形態の記載は、以下に示し、図面の内容は単に実施例に過ぎず、限定されない。
【００１５】
図１は、栓のアセンブリを示す。即ち、栓、シール（封）、および、箱に接着させるための基部を有する入り口を示す。
【００１６】
図２は、栓を開けるための認識部（フィンガープリント）を示す。
【００１７】
図３は、システムの機能スキームの断面図を示す。
【００１８】
図４および図５は、空気が入り込む可動部を示す。
【００１９】
図６は、容器の口の入り口の栓の構成を示す。
【００２０】
図７は、容器の入り口および空気が流入するための可動部のガイドを示す。
【００２１】
図８は、箱のアルミニウムおよびプラスチックフィルム膜を開けるための蓋の構成要素を示す。
【００２２】
図９は、注ぎ口に栓（蓋）を挿入し、かつ、はめ込む器具を示す。
【００２３】
図１０は、一度切られた箱上のフィルムの位置の詳細および断面を示す。
【００２４】
図１１は、空気の流入および液体の流出のための上側部分および下側部分を示す。
【００２５】
図１２は、箱の栓（蓋）の位置、および、箱の中身を保護するアルミニウムプラスチックフィルムの一部を切り取った図を示す。
【００２６】
＜図１＞
（１）栓
（２）シール（封）
（３）舌状物
（４）口
（５）基部
＜図２＞
（６）認識部
＜図３＞
（７）栓のクリップ
（８）フィルムの切断
（９）箱の内部空間
＜図４＞
（１０）可動部
（１１）ストリップ（細長い片）
（１２）手元の端
（１３）ボックス（箱）
（１４）持ち上げ部
＜図５＞
（１５）閉じ部
＜図６＞
（１６）切断部
（１７）押し部
＜図７＞
（１８）ガイド
＜図８＞
（１９）刃部
＜図９＞
（２０）溝
＜図１０＞
（２１）小曲がりシート
＜図１１＞
（２２）空気の流入のための上側部分
（２３）液体の流出のための下側部分
（２４）接着剤
＜図１２＞
（２５）フィルム
［好適な実施形態の詳細な説明］
図１において、上記栓（１）は、液体の流出のための上記口（４）を開けるかつ閉じるために、操作されるかつ使用される部分であることがみてとれる。
【００２７】
開けられる前に、上記栓（１）は、舌状物（３）を有するシール（封）（２）によって上記口（４）に取り付けられる。
【００２８】
それを引くことによって、上記シール（２）と上記栓（１）の間のプレカットは、上記口（４）の両側に分けられ、上記栓（１）が取り外され、上記口（４）が開けられる。
【００２９】
上記口（４）は、箱型容器のボール紙（厚紙）に接着された基部（５）と一体となっている。
【００３０】
図２は、上記口（４）の上記栓（１）を取り外しかつ戻すために、上記栓（１）は複数の認識部（６）を有していることを示す。より使い心地よくするために、ライザー（起きる部分）を作ることによってより容易に栓（１）をはずすため、上記認識部（６）の凹形に使用者の人差し指および親指は置かれる。
【００３１】
図３は、上記口（４）を閉じるための上記栓（１）が、上記口（４）への軽い圧力によってクリップ留めされ、結果として上記栓のプラスチック材の曲がりが生じ、その周囲リブは、上記口（４）のライザーの中にクリップ留めされることを示す。
【００３２】
上記栓（１）は、上記口（４）の中に差し込まれるとき、上記プラスチックフィルム（２５）を壊し、内部のフィルムを切断し（８）、それによって、箱（９）の内側の空間から取り出すための通路ができ、上記栓は通路にアクセスすることができる。
【００３３】
図４は、上記容器が閉じられるとき、上記可動部（１０）が上記栓（１）によって容器の中に押され、空気が流入するためのトンネルを生じることを示す。
【００３４】
上記可動部（１０）は、上記栓（１）によって支持され押される箇所である手元の端（１２）と一体になった複数のストリップ（１１）上を動く。
【００３５】
上記可動部（１０）のボックス（１３）は、切断されたプラスチックフィルムが、開けられた穴に戻らないように、かつ、詰まらないようにするための、持ち上げ型部（１４）を有している。
【００３６】
図５は、上記ボックス（１３）が、上記可動部（１０）の後方部分に閉じ部（１５）を有することを示す。上記閉じ部は、上記箱の内側の液体が、上記ボックス（１３）を満たさないようにする。それゆえ、液体が注がれる間、上記ボックス（１３）の上記上部を通って空気のみが上記箱に流入することができる。
【００３７】
図６は、上記栓（１）の内側部分が、一体となった二つの要素を有することを示す。即ち、上記可動部（１０）を上記容器の中へ動かすよう動作する押し部（１７）、および、上記容器の内側の液体が注ぎ出るのに通る下側部分（２３）を作る、上記箱のフィルムの切断部（１６）を有することを示す。
【００３８】
図７は、複数のガイド（１８）が、平行かつ縦に、上記口（４）の入り口の上記箱の端から端に沿って、かつ、その両側上で、上記可動部（１０）を上記容器に誘導することを示す。
【００３９】
図８は、上記切断部（１６）が、上記内側のフィルム（２５）を破るための刃部（１９）を前面に備え、かつ、上記箱から液体を注ぐための下側部分（２３）を生じさせることが示されている。外に出した液体の体積は、上記口（４）の上記上側部分（２２）を通って流入した空気と入れ替えられる。注ぎ出すために上記箱を傾けるにも関わらず、液体はそこを通って流出できない。
【００４０】
図９は、上記箱の口（４）が、上記口の前方の周囲の四つの側面に沿って、溝（２０）を備えていることを示す。上記栓（１）は、突起またはライザーといったクリップ器具（７）を有し、上記クリップ器具は、上記口（４）の前方の周囲の上記溝（２０）の中へ差し込まれるように構成される。したがって、一度必要に応じて注いだ後、上記口（４）を閉じることができる。
【００４１】
図１０は、上記押し部（１７）および上記切断部（１６）によって、上記容器の内部のプラスチックフィルム（２５）を破った結果として生じた複数の小曲がりシート（２１）が、上記容器の中への空気の流入または液体の流出を遮らないことを示す。それらは、上記容器の中へ曲げられ、および、広げられるため、互いに対面する。
【００４２】
図１１は、接着剤（２４）によって、上記箱のボール紙に接着されるように構成される、上記栓（１）の裏側を示す。図１１は、基部（５）の裏側において、空気の流入のための上側部分（２２）、および、液体の流出のための下側部分（２３）の両方は、同じ大きさを有することを示す。したがって、上記容器の口（４）を通って流出した液体の体積と、上記上側部分（２２）を通って流入する空気の量が等しくなる。
【００４３】
図１２は、上記箱の内側のフィルム（２５）を示す。
＜付記＞
本発明の別の態様に係る空気が流入する箱型容器の栓は、（ｉ）プレカットによってシール（２）に付けられた栓であって、上記シール（２）は引くための舌状物（３）を有し、上記舌状物は、上記シールおよび口（４）を連結したプレカットだけでなく、栓（１）および上記シール（２）を連結したプレカットを壊すことによって上記シール（２）をはがす、栓（１）と、（ｉｉ）箱のボール紙を接着するための張り出しまたは基部（５）を有する上記口（４）と、（ｉｉｉ）より引き抜きやすくするために上記栓の両側面に認識部（６）を有する上記栓（１）と、（ｉｖ）上記栓（１）を閉じるため、周囲の引っかけのような、上記口（４）上に配置され、上記栓のプラスチック材の曲がりによって、上記口（４）を掴むことにより開けることおよび閉じることができる、上記栓（１）のクリップ（７）とを有することを特徴とする。
本発明の別の態様に係る空気が流入する箱型容器の栓は、上記口（４）上に閉じられた上記栓（１）がフィルム（８）を切断し、上記箱（９）の内部の空間にアクセス可能になることを特徴とする。
本発明の別の態様に係る空気が流入する箱型容器の栓は、上記口（４）の内部に可動部（１０）を有し、上記可動部は、手元の端（１２）を上記箱の中に押されたときに複数のストリップ（１１）によって動かされ、ボックス（１３）を形成する複数の仕切りによって上記可動部（１０）の側面が閉じられ、かつ、持ち上げ部（１４）および閉じ部（１５）によってそれらの前方部が閉じられる。
本発明の別の態様に係る空気が流入する箱型容器の栓は、上記栓（１）は、後方に、突起または切断部（１６）、および他の押し部（１７）を有し、上記栓（１）を上記口（４）の中へ差し込むとき、上記押し部は、複数のガイド（１８）の中へ差し込まれる複数の側面ストリップ（１１）を備える上記可動部を動かす。
本発明の別の態様に係る空気が流入する箱型容器の栓は、上記切断部（１６）は、その前側の端の全体に沿って刃部（１９）を備え、上記栓（１）が溝（２０）の上記口（４）上に留められ、かつ、閉じられる場合、上記可動部（１０）および上記切断部（１６）の穴開けによって生じた複数の小曲がりシート（２１）は、上記持ち上げ部（１４）によって導かれ、固定され、上記容器の中に誘導される。
本発明の別の態様に係る空気が流入する箱型容器の栓は、上記可動部（１０）は、上記口（４）の内部に、空気が流入するための部分（２２）を生じさせ、上記切断部（１６）は、接着剤（２４）で上記箱に接着された上記口（４）を通って液体を流出させるための部分（２３）を生じさせ、これらすべては、上記容器の内側のフィルム（２５）を開けることによってアクセスが成し遂げられるよう特徴付けられており、液体の流出が、同時のかつ同量の空気の流入によって補われる。
【図面の簡単な説明】
【００４４】
【図１】栓のアセンブリを示す。即ち、栓、シール（封）、および、箱に接着させるための基部を有する入り口を示す。
【図２】栓を開けるための認識部を示す。
【図３】システムの機能スキームの断面図を示す。
【図４】空気が入り込む可動部を示す。
【図５】空気が入り込む可動部を示す。
【図６】容器の口の入り口の栓の構成を示す。
【図７】容器の入り口および空気が流入するための可動部のガイドを示す。
【図８】箱のアルミニウムおよびプラスチックフィルム膜を開けるための蓋の構成要素を示す。
【図９】注ぎ口に栓（蓋）を挿入し、かつ、はめ込む器具を示す。
【図１０】一度切られた箱上のフィルムの位置の詳細および断面を示す。
【図１１】空気の流入および液体の流出のための上側部分および下側部分を示す。
【図１２】箱の栓（蓋）の位置、および、箱の中身を保護するアルミニウムプラスチックフィルムの一部を切り取った図を示す。
【図１】
0006692370.tif 000002
【図２】
0006692370.tif 000003
【図３】
0006692370.tif 000004
【図４】
0006692370.tif 000005
【図５】
0006692370.tif 000006
【図６】
0006692370.tif 000007
【図７】
0006692370.tif 000008
【図８】
0006692370.tif 000009
【図９】
0006692370.tif 000010
【図１０】
0006692370.tif 000011
【図１１】
0006692370.tif 000012
【図１２】
0006692370.tif 000013